(57)【要約】【課題】  形状を自在に変形でき、かつ、その形状を保持可能とすることにより、身体の凹凸形状に沿って理想的な状態でフィットさせることができる枕、抱き枕、足枕、腰枕、クッション等の寝具類を提供する。【解決手段】  緩衝性を有する中材２と、中材２内にその長さ方向に沿って収容され、人力により折曲自在に変形できる長尺状の折曲部材３とを、具備し、中材２が、好ましくは低反発弾性フォームにて形成されている。また、寝具類としては、枕、抱き枕、脚枕、腰枕が挙げられる。【選択図】  図１
0003115580.tif 000002
【実用新案登録請求の範囲】
【請求項１】
緩衝性を有する中材と、該中材内にその長さ方向に沿って収容され、人力により折曲自在に変形できる長尺状の折曲部材とを、具備することを特徴とする寝具類。
【請求項２】
前記中材が低反発弾性フォームにて形成されている請求項１記載の寝具類。
【請求項３】
枕である請求項１または２記載の寝具類。
【請求項４】
抱き枕である請求項１または２記載の寝具類。
【請求項５】
脚枕である請求項１または２記載の寝具類。
【請求項６】
腰枕である請求項１または２記載の寝具類。
【考案の詳細な説明】
【技術分野】
【０００１】
本考案は、枕、抱き枕、脚枕、腰枕、クッション等の寝具類に関し、特には形状を自在に変形かつ保持させることができる寝具類に関する。
【背景技術】
【０００２】
従来より、寝具類における枕において、頭が不自然な固定状態とならないようにし、肩こり、寝心地の悪さ等を改善するための枕は種々提案されている（例えば、特許文献１参照）。上掲特許文献１記載の枕は、底面側に設けた硬質材料の底面部材を、頭の側面に沿って曲面状に形成し、体軸を中心とした頭の回転方向に回転可能となるように形成されている。
【特許文献１】特開平１０−２１５９９２号公報（第１−２頁、図１）。
【考案の開示】
【考案が解決しようとする課題】
【０００３】
しかしながら、使用者の様々な頭部の形状に対しても理想的にフィットさせることができる枕はこれまで知られておらず、上掲特許文献１記載の枕においても、底面部を合成樹脂製の硬質材料で曲面状に固定しているため曲面形状が一定化され、使用者の様々な頭部の形状に理想的にフィットさせることはできなかった。また、上掲特許文献１記載の枕では、汎用の枕のように平面状で使用することも不可能であった。
【０００４】
そこで本考案の目的は、形状を自在に変形でき、かつ、その形状を保持可能とすることにより、身体の凹凸形状に沿って理想的な状態でフィットさせることができる枕、抱き枕、脚枕、腰枕、クッション等の寝具類を提供することにある。
【課題を解決するための手段】
【０００５】
上記課題を解決するために本考案の寝具類は、緩衝性を有する中材と、該中材内にその長さ方向に沿って収容され、人力により折曲自在に変形できる長尺状の折曲部材と、を具備することを特徴とするものである。本考案において、前記中材を低反発弾性フォームにて好適に形成することができる。
【考案の効果】
【０００６】
本考案によれば、緩衝性を有する中材内に上記折曲部材が収容されていることで、人力により寝具類を自在に折曲変形させることができ、かつその形状を保持することができる。これにより、寝具類を頭部や身体の凹凸形状に沿って理想的な状態にフィットさせることができる。また、前記中材を低反発弾性フォームにて形成することにより、体圧に応じて中材がゆっくり沈み込み、フィット感が高まり心地よい使用感が得られる。
【考案を実施するための最良の形態】
【０００７】
以下、本考案の寝具類の一実施の形態を図面に基づいて説明する。
本考案の寝具類は、枕、抱き枕、脚枕、腰枕、クッション等の就寝時に使用されるもので、例えば、図１に示す枕１０は、緩衝性を有する中材２と、この中材２内にその長さ方向に沿って収容され、人力により折曲自在に変形できる長尺状の折曲部材３にて構成されている。
【０００８】
中材２は、好ましくは、緩衝性が高く軽量で大量生産に優れた合成樹脂製発泡体にて形成し、より好ましくはウレタンフォーム等の低反発弾性フォームにて形成する。この中材２内には、人力により容易に折曲自在に変形させることができる折曲部材３が、その長さ方向に沿って略中心部分に収容される。
【０００９】
折曲部材３は、人力により容易に折曲でき、かつ、形状保持性に優れた長尺の棒状または板状に形成され、その材質としては、例えば、ステンレス鋼、銅また鉛等の金属素材から好適に選定することができる。折曲部材３の断面寸法および断面形状は、適用する寝具類に応じ適宜定めればよい。また、金属素材を細線状に形成し、複数束ねて折曲部材３を形成してもよい。なお、衛生面や安全性を考慮して、折曲部材３の周囲は樹脂製等のカバー４で被覆しておくことが好ましい。
【００１０】
図２の（ａ）（ｂ）（ｃ）（ｄ）は、図１に示す本考案の寝具類１である枕１０の使用状態を示す断面図である。（ａ）は、中材２の内部に折曲部材３を収容した枕１０の断面図であり、折曲部材３を直線状とすることにより中材２が平坦に形成された、いわゆる通常の使用状態を示す。（ｂ）は、折曲部材３の両端を折上げ、全体を緩やかな湾曲状に形成した状態である。この場合には、頭部を両側面から緩やかに保持することができる。（ｃ）は、折曲部材３の一端を湾曲状に形成し、枕１０を任意の高さに調節した状態である。（ｄ）は、折曲部材３を波状に湾曲させ、頭部の保持状態が高まるように形成した状態である。このように、折曲部材３を任意に折り曲げることにより、枕１０を頭部の凹凸形状に沿って理想的な状態にフィットさせることができ、快適な安眠を実現することが可能となる。
【００１１】
本考案においては、寝具類１に使用される中材２を、例えば、ウレタンフォーム等の低反発弾性フォームにて形成することが特に好ましい。この理由は、低反発弾性フォームは、反発弾性が低く、密度や硬さ、伸びや圧縮残留歪が高いという特性を有するためである。低反発弾性フォームは、みかけ密度０．１ｇ／ｃｍ3（気体・固体比９）以下のフォームをいう。中材２を低反発弾性フォームにて形成することで、前記枕１０の形状を容易に変形させることができ、さらに、使用の際、体圧に応じて中材２がゆっくり沈み込み、フィット感が高まり心地よい安眠が得られる。
【００１２】
図３は、本考案の他の好適例である寝具類１として抱き枕１１を示す。この抱き枕１０は、就寝時に添い寝して安眠効果を高めるものである。抱き枕１０の中材２はＬ字状に形成されており、かかる中材２の内部には折曲部材３がその長さ方向に沿って収容されている。抱き枕１１に折曲部材３を収容させることにより、身体の凹凸や就寝時の姿勢に応じて形状を自在に変形させることができる。
【００１３】
図４は、本考案の更に他の好適例である寝具類１として、横臥時に両脚の下に敷設される脚枕１２を示す。この脚枕１２の中材２の内部にも折曲部材３が収容されている。脚枕１２に折曲部材３を収容させることにより、就寝時、両脚の凹凸に応じて形状を自在に変形させることができ、脚の疲労回復を促進できる。
【００１４】
図５は、本考案の更に他の好適例である寝具類１として、横臥時に腰の下に敷設される腰枕１３を示す。この腰枕１３の中材２の内部にも折曲部材３が収容されている。腰枕１３に折曲部材３を収容させることにより、腰の状態に応じて形状を自在に変形させることができ、腰痛の緩和等に効果が得られる。
【００１５】
なお、本考案の寝具類１においては、緩衝性を有する中材２からなり、内部に折曲部材３を収容したものであれば、クッションやマットレス等、様々な用途に応用できることは言うまでもない。
【図面の簡単な説明】
【００１６】
【図１】本考案の寝具類である枕の一部を欠切した全体斜視図である。
【図２】（ａ）（ｂ）（ｃ）（ｄ）は前記枕の使用状態を示す断面図である。
【図３】本考案の寝具類である抱き枕の全体図である。
【図４】本考案の寝具類である脚枕の全体図である。
【図５】本考案の寝具類である腰枕の全体図である。
【符号の説明】
【００１７】
１  寝具類
２  中材  
３  折曲部材
４  カバー
１０  枕
１１  抱き枕
１２  脚枕
１３  腰枕
【図１】
0003115580.tif 000003
【図２】
0003115580.tif 000004
【図３】
0003115580.tif 000005
【図４】
0003115580.tif 000006
【図５】
0003115580.tif 000007